(57)【要約】【課題】床暖房パネルの配線用コードを接続する配線プラグに係り、未使用時には接続端子を覆って絶縁性能を維持し、外す必要があるときにのみ簡単に外すことのできる絶縁キャップを備えた配線プラグを提供する。【解決手段】本発明の配線プラグ１は、複数の端子部２ａ、２ｂが並列に設置されたホルダー部３と、複数の端子部２ａ、２ｂを覆う絶縁キャップ４とから構成され、絶縁キャップ４は、端子部２ａ近傍の接続部５によってホルダー部３と一体成型され、端子部２ｂを覆う部分には端子部２ａを軸として回転可能となるように開口部６が設けられている。【選択図】      図１
2006179247.tif 000002
【特許請求の範囲】
【請求項１】
複数の端子部が並列に設置されたホルダー部と、前記複数の端子部を覆う収納部を有する絶縁キャップとから構成された配線プラグであって、
前記絶縁キャップは、前記複数の端子部のうち最も端に位置する前記端子部の近傍で前記ホルダー部と一体成型され、その他の端子部を覆う収納部には、最も端に位置する前記端子部を軸として回転可能となるように開口部が設けられていることを特徴とする配線プラグ。
【請求項２】
前記絶縁キャップは、最も端に位置する前記端子部と反対側となる側面に、指をかけるためのグリップ部が設けられていることを特徴とする請求項１に記載の配線プラグ。
【発明の詳細な説明】
【技術分野】
【０００１】
本発明は、床暖房パネルの配線用コードを接続する配線プラグに係り、特に外す必要があるときにのみ容易に外すことのできる絶縁キャップを備えた配線プラグに関する。
【背景技術】
【０００２】
従来の床暖房パネルでは、設置する床面の大きさに応じて複数枚の床暖房パネルを接続して、床面全体に床暖房パネルを敷き詰めるようにしている。そして、各床暖房パネルには、配線プラグとコネクタがそれぞれ設けられ、これらを接続していくことによって、床面全体の床暖房パネルを電気的に接続している。
【０００３】
このような床暖房パネルでは、パネル端から配線プラグなどの充電部分が露出した状態にならないようにする必要がある。このための対策としては種々のものが考えられている。例えば、配線プラグの接続端子に絶縁キャップを被せることで絶縁性能を維持するようにしたものがある。
【０００４】
従来の絶縁キャップを用いた配線プラグとしては、例えば特開平７−９９０８０号公報（特許文献１）が知られている。
【特許文献１】特開平７−９９０８０号公報
【発明の開示】
【発明が解決しようとする課題】
【０００５】
しかしながら、上述した特許文献１に開示された従来例では、絶縁キャップが容易に外れるようになっているので、現場での作業はし易いが、輸送中の振動で外れてしまったり、簡単に外せるので作業者が間違えて外してしまうことが多くなるという問題点があった。
【０００６】
また、絶縁キャップを別の部材として用意しなければならないうえに、工場等において絶縁キャップを取り付ける作業が必要になるので、製造コストが高くなるという問題点があった。
【０００７】
この発明の目的は、未使用時には接続端子を覆って絶縁性能を維持し、必要があるときにのみ容易に外すことのできる絶縁キャップを備えた配線プラグを提供することにある。
【課題を解決するための手段】
【０００８】
上述した課題を解決するために、請求項１の発明は、複数の端子部が並列に設置されたホルダー部と、前記複数の端子部を覆う収納部を有する絶縁キャップとから構成された配線プラグであって、前記絶縁キャップは、前記複数の端子部のうち最も端に位置する前記端子部の近傍で前記ホルダー部と一体成型され、その他の端子部を覆う収納部には、最も端に位置する前記端子部を軸として回転可能となるように開口部が設けられていることを特徴とする。
【０００９】
請求項２の発明は、請求項１において、前記絶縁キャップの最も端に位置する前記端子部と反対側となる側面に、指をかけるためのグリップ部を設けたことを特徴とする。
【発明の効果】
【００１０】
請求項１の配線プラグでは、絶縁キャップとホルダー部とを一体成型しているので、簡単に外れてしまうことはなく、また作業者が安易に外してしまうことも防ぐことができる。また、絶縁キャップが回転可能となるように開口部が設けられているので、絶縁キャップを回転させることができ、これによって一体成型された部分が引きちぎられて絶縁キャップを簡単に取り外すことができる。さらに、絶縁キャップとホルダー部とを一体成型したので、工場等において絶縁キャップを取り付ける作業を省くことができる。
【００１１】
請求項２の配線プラグでは、絶縁キャップの最も端に位置する端子部と反対側となる側面にグリップ部を設けたことにより、作業者が指をかけやすくなり、より簡単に絶縁キャップを取り外すことができる。
【発明を実施するための最良の形態】
【００１２】
以下、本発明に係わる配線プラグの実施例を図面に基づいて説明する。
【実施例１】
【００１３】
図１は本実施例に係る配線プラグの構成を示す図である。図１に示すように、本実施例の配線プラグ１は、複数の端子部２ａ、２ｂと、これら端子部２ａ、２ｂを並列に保持するホルダー部３と、端子部２ａ、２ｂを覆う絶縁キャップ４とから構成されている。
【００１４】
ここで、端子部２ａ、２ｂは２本の棒端子によって構成される接続端子であり、本実施例ではＡＣ１００Ｖ、２００Ｖの２線式の場合について説明するが、接続端子が３本以上設置されているものであってもよい。なお、図１に示す「Ｗ」の印は、端子部２ｂが接地側であることを示している。
【００１５】
ホルダー部３は、絶縁キャップ４と同一の樹脂で形成され、接続部５により絶縁キャップ４と一体に成型されている。このうち接続部５は約０．１〜０．３ｍｍ程度の薄い肉厚となるように成型されており、後述するように、絶縁キャップ４を回転することで容易に引きちぎれる構成となっている。
【００１６】
絶縁キャップ４は、端子部２ａ、２ｂを覆って絶縁する保護材であり、端子部２ａの近傍でホルダー部３と一体成型されている。この絶縁キャップ４には、端子部２ａを覆う収納部４ａと、端子部２ｂを覆う収納部４ｂが形成されている。このうち、端子部２ｂを覆う収納部４ｂには、は端子部２ａを軸として回転可能となるように開口部６が設けられている。
【００１７】
ここで、絶縁キャップ４のＡ−Ａ’線における断面図を図２に示す。図２に示すように、絶縁キャップ４の収納部４ａは端子部２ａを密閉して収納できるようにトンネル状の穴が形成されているのに対して、収納部４ｂは一方に開口部６を有する溝状に形成され、端子部２ｂ片面が外部に露出するように構成されている。このうち、端子部２ｂの収納部４ｂでは、端子部２ｂを絶縁キャップ４に挿入したときに絶縁キャップ４表面までの距離ｈを十分とることによって絶縁を確保している。例えば、本実施例の場合には距離ｈを１ｍｍ以上にすることによって絶縁を確保している。なお、この距離ｈは使用電圧に応じて適宜変更して、絶縁を確保することができる。
【００１８】
上記のように構成された本実施例の配線プラグ１では、絶縁キャップ４の端子部２ｂを収納する収納部４ｂには開口部６が設けられているので、絶縁キャップ４を図２の矢印方向にひねると、端子部２ｂが開口部６から外れるため、絶縁キャップ４を回転させることができる。
【００１９】
そして、施工時において、端子部２ｂのみを使用する場合には絶縁キャップ４を途中まで回転させて端子部２ｂを露出させて使用し、端子部２ａ、２ｂの両方を使用するときには絶縁キャップ４をさらに回転させて接続部５を引きちぎり、図３に示すように絶縁キャップ４をホルダー部３から引き抜くようにする。
【００２０】
また、図４に示すように、一体成型された端子部２ａと反対側になる絶縁キャップ４の側面に、指をかけるためのグリップ部７を設けるようにしてもよい。このグリップ部７は、絶縁キャップ４を回転させるときに指をかけやすくするために、絶縁キャップ４側面の角を取ったり、指が密着するようなくぼみを設けるなどしたものである。
【００２１】
以上説明したように、本実施例の配線プラグ１は、絶縁キャップ４とホルダー部３とを一体成型しているので、振動などにより簡単に外れてしまうことがなくなり、また作業者が安易に外してしまうことも防ぐことができる。したがって、未使用時には接続部２ａ，２ｂを覆って絶縁性能を維持することができる。そして、作業者が明確な意思で絶縁キャップ４を外す場合のみ、絶縁キャップ４が取り外されるようにすることができる。すなわち、絶縁キャップ４が回転可能となるように開口部６が設けられているので、絶縁キャップ４を回転させることによって、一体成型された接続部５を引きちぎってホルダー部３から絶縁キャップ４を簡単に取り外すことができる。また、絶縁キャップ４とホルダー部３とを一体成型したので、工場等において絶縁キャップ４を取り付ける作業を省くことができる。
【００２２】
また、床暖房パネルを接続したときに、床面の最も端に位置する床暖房パネルに本実施例の配線プラグ１が配置されるようにすれば、コネクタの数を減らすことができ、床暖房パネル全体のコストを節約することができる（以上、請求項１の効果）。
【００２３】
さらに、絶縁キャップ４の端子部２ａと反対側となる側面にグリップ部７を設けたことにより、作業者が指をかけやすくなり、より簡単に絶縁キャップ４を取り外すことができる（請求項２の効果）。
【図面の簡単な説明】
【００２４】
【図１】本発明の実施例１に係る配線プラグの構成を示す図である。
【図２】本発明の実施例１に係る配線プラグの絶縁キャップの構成を示す断面図である。
【図３】絶縁キャップをホルダーから引き抜いた場合の配線プラグを示す図である。
【図４】絶縁キャップの側面にグリップ部を設けた構成を示す図である。
【符号の説明】
【００２５】
１  配線プラグ
２ａ、２ｂ  端子部
３  ホルダー部
４  絶縁キャップ
４ａ，４ｂ  収納部
５  接続部
６  開口部
７  グリップ部
【図１】
2006179247.tif 000003
【図２】
2006179247.tif 000004
【図３】
2006179247.tif 000005
【図４】
2006179247.tif 000006